(57)【要約】【課題】乗員をより十分に保護できるサイドエアバッグを提供する。【解決手段】シートバック２２の側部から膨張展開されるエアバッグ本体ＡＨが、袋状の頭部用バッグ部１４と、頭部用バッグ部１４とは別体に形成された袋状の胸部用バッグ部１５とを有する。両バッグ部１４と１５との共通用とされた１つのインフレータＩＲが、例えば胸部用バッグ部１５内に収納される。インフレータＩＲに接続された分配パイプ１８が、頭部用バッグ部１４内に延在されている。側方衝突によって作動されるインフレータＩＲで発生された気体が、分配パイプ１８を経て、その第１出口開口１８ａより頭部用バッグ部１４内に供給され、第２出口開口１８ｂより胸部用バッグ部１５内に供給される。出口開口１８ａと１８ｂとの数や個々の開口面積を相違させることによって、各バッグ部１４と１５との膨張展開完了までの時間差を任意に設定できる。【選択図】  図５
2004255908.tif 000002
【特許請求の範囲】
【請求項１】
乗員が着座するシートのシートバックに収納され、車両の側方衝突時に、前方へ向けて膨張展開されて乗員と車体側壁部との間に位置される袋状のエアバッグ本体を備えた車両用エアバッグ装置において、
前記エアバッグ本体は、袋状に形成されて膨張展開時に乗員の頭部側方に位置される頭部用バッグ部と、該頭部用バッグ部とは別体の袋状に形成されて膨張展開時に乗員の胸部側方に位置される胸部用バッグ部とからなり、
側方衝突時に作動されて膨張展開用の気体を発生させる１つのインフレータが、前記頭部用バッグ部への気体供給用と胸部用バッグ部への気体供給用として共通化されており、
前記１つのインフレータで発生された気体を、前記頭部用バッグ部と胸部用バッグ部とに分配して供給するための分配部材が設けられている、
ことを特徴とする車両用エアバッグ装置。
【請求項２】
請求項１において、
前記分配部材は、前記インフレータに接続されたパイプ状部材とされている、ことを特徴とする車両用エアバッグ装置。
【請求項３】
請求項２において、
前記パイプ状部材は、前記頭部用バッグ部と胸部用バッグ部を構成する袋体に一体とされた布材で構成されている、ことを特徴とする車両用エアバッグ装置。
【請求項４】
請求項１ないし請求項３のいずれか１項において、
前記インフレータから前記頭部用バッグ部への気体噴出量と該インフレータから前記胸部用バッグ部への気体噴出量とが、前記分配部材によって調整されている、ことを特徴とする車両用エアバッグ装置。
【請求項５】
請求項４において、
前記分配部材は、前記頭部用バッグ部内に開口された第１出口開口と、前記胸部用バッグ部内に開口された第２出口開口とを有し、
前記第１出口開口と第２出口開口との開口面積の大きさ設定によって、前記頭部用バッグ部への気体噴出量と前記胸部用バッグ部への気体噴出量とが調整される、
ことを特徴とする車両用エアバッグ装置。
【請求項６】
請求項４において、
前記分配部材は、前記頭部用バッグ部内に開口された第１出口開口と、前記胸部用バッグ部内に開口された第２出口開口とを有し、
前記第１出口開口の数と第２出口開口の数の設定によって、前記頭部用バッグ部への気体噴出量と前記胸部用バッグ部への気体噴出量とが調整される、
ことを特徴とする車両用エアバッグ装置。
【請求項７】
請求項４において、
前記頭部用バッグ部への気体噴出量が、前記胸部用バッグ部への気体噴出量よりも多くなるように調整されている、ことを特徴とする車両用エアバッグ装置。
【請求項８】
請求項１ないし請求項７のいずれか１項において、
前記頭部用バッグ部と胸部用バッグ部とがほぼ同時期にその膨張展開が完了されるように、前記分配部材による気体の分配調整がされている、ことを特徴とする車両用エアバッグ装置。
【請求項９】
請求項１ないし請求項８のいずれか１項において、
前記頭部用バッグ部の膨張展開完了時の容量が、前記胸部用バッグ部の膨張展開完了時の容量よりも大きくなるように設定されている、ことを特徴とする車両用エアバッグ装置。
【請求項１０】
請求項１において、
前記頭部用バッグ部の膨張展開完了時の容量が、前記胸部用バッグ部の膨張展開完了時の容量よりも大きくなるように設定されており、
前記頭部用バッグ部と胸部用バッグ部とがほぼ同時期にその膨張展開が完了されるように、前記分配部材による分配調整がされており、
前記頭部用バッグ部の膨張展開時間が、前記胸部用バッグ部の膨張展開時間よりも長くなるように設定されている、
ことを特徴とする車両用エアバッグ装置。
【請求項１１】
請求項１ないし請求項１０のいずれか１項において、
前記頭部用バッグ部と胸部用バッグ部とインフレータと分配部材とが、それぞれ前記シートバック内に配設され、
前記頭部用バッグ部と胸部用バッグ部抜とが、前記シートバックの側部から前方へ向けて膨張展開されるようにされされている、
ことを特徴とする車両用エアバッグ装置。
【請求項１２】
請求項１１において、
前記インフレータが、前記頭部用バッグ部と胸部用バッグ部とのうちいずれか一方のバッグ部内に配設されて、他方のバッグ部内には位置しないようにされ、前記インフレータに接続された前記分配部材が、前記他方のバッグ部内へ延在している、
ことを特徴とする車両用エアバッグ装置。
【請求項１３】
請求項１ないし請求項１２のいずれか１項において、
車両がオープンカーとされている、ことを特徴とする車両用エアバッグ装置。
【発明の詳細な説明】
【０００１】
【発明の属する技術分野】
本発明は側方衝突時に作動される車両用エアバッグ装置に関するものである。
【０００２】
【従来の技術】
車両においては、側方衝突時における乗員の安全性向上のために、いわゆるサイドエアバッグ装置を装備したものが多くなっている。この種のエアバッグ装置にあっては、乗員が着座するシートのシートバックに収納され、車両の側方衝突時に、前方へ向けて膨張展開されて乗員と車体側壁部との間に位置される袋状のエアバッグ本体を備えている。
【０００３】
側方衝突時に膨張展開されるエアバッグ本体が乗員と車体側壁部との間に位置されるものにあっては、このエアバッグ本体が、乗員の頭部側方と胸部側方との両方に渡って位置するように大きな容量を有するものがある。例えば、特許文献１には、エアバッグ本体が膨張展開時に全体的に上下方向に長く伸びるようにされて、その下部が乗員の胸側方に位置される第１領域とされ、その上部が乗員の頭部側方に位置される第２領域となっている。そして、エアバッグ本体は、全体として１つの袋状に形成される一方、内部に上記第１領域と第２領域とを仕切る仕切手段が設けられて、エアバッグ本体の膨張展開完了時には、この仕切手段が破断されるようにすることも開示されている。
【０００４】
また、特許文献２には、エアバッグ本体は全体として１つの袋状とされているが、膨張展開時に、乗員の頭部側方に位置される上部と胸部側方に位置される下部とを有して、この上部と下部とがエアバッグ本体の後部でもって小断面積部分を介して連通された形状のもの、つまりエアバッグ本体がその上下方向中間部分において前方へ向けて開口されたえぐり部を有する形状とされたものが開示されている。
【０００５】
【特許文献１】
特開平９−１３６６００号公報
【特許文献２】
特開平９−２２０９９３号公報
【０００６】
【発明が解決しようとする課題】
ところで、乗員と車体側壁部との間に位置されるように膨張展開されるエアバッグ本体にあっては、エアバッグ本体が乗員の頭部側方と胸部側方との両方に確実に位置するようにすることが望まれるものである。この一方、乗員の体格の相違によって、膨張展開されたエアバッグ本体を乗員の頭部側方に確実に位置させることが難しい場合も生じる。すなわち、エアバッグ本体の容量設定には実用上限界があるため、小さな体格の乗員の頭部側方にはその全体に渡って膨張展開されたエアバッグ本体を位置させることができても、体格の大きい乗員についてはその頭部側方のうち下部のみしか膨張展開されたエアバッグ本体を位置させることができないというような事態を生じやすいものとなる。
【０００７】
また、車両の側方衝突時には、乗員は、まずその胸部が車体側壁部に向けて動かされ、その後、頭部が車体側壁部に向けて動かされるような動きとなるので、膨張展開されたエアバッグ本体は、まず、乗員の胸部側方に位置され、これと同じかその後若干遅れて乗員の頭部側方にエアバッグ本体が位置されるようにその膨張展開の完了時間を設定することが望まれる。そして、膨張展開されている持続時間は、頭部側を胸部側よりも長くすることが望まれることになる。
【０００８】
しかしながら、前述した特許文献１、特許文献２に開示のように、エアバッグ本体を全体として１つの袋状として形成した場合は、前述した乗員の体格の相違に対応することや、頭部用と胸部用とでの膨張展開完了時間の好ましい設定を行なうことや、さらには乗員の頭部用と胸部用とで好ましい膨張展開持続時間を設定するということが難しいものとなる。
【０００９】
本発明は以上のような事情を勘案してなされたもので、その目的は、乗員の頭部と側部をより確実に保護することができるようにした車両用エアバッグ装置を提供することにある。
【００１０】
【課題を解決するための手段】
前記目的を達成するため、本発明にあっては次のような解決手法を採択してある。すなわち、特許請求の範囲における請求項１に記載のように、
乗員が着座するシートのシートバックに収納され、車両の側方衝突時に、前方へ向けて膨張展開されて乗員と車体側壁部との間に位置される袋状のエアバッグ本体を備えた車両用エアバッグ装置において、
前記エアバッグ本体は、袋状に形成されて膨張展開時に乗員の頭部側方に位置される頭部用バッグ部と、該頭部用バッグ部とは別体の袋状に形成されて膨張展開時に乗員の胸部側方に位置される胸部用バッグ部とからなり、
側方衝突時に作動されて膨張展開用の気体を発生させる１つのインフレータが、前記頭部用バッグ部への気体供給用と胸部用バッグ部への気体供給用として共通化されており、
前記１つのインフレータで発生された気体を、前記頭部用バッグ部と胸部用バッグ部とに分配して供給するための分配部材が設けられている、
ようにしてある。
【００１１】
このように、エアバッグ本体を、乗員の頭部用と胸部用とで互いに別個の袋状として形成したので、膨張展開完了時間や膨張展開持続時間等を乗員の頭部用と胸部用とで好ましい設定にする上で柔軟に対応することができ、乗員の保護特に頭部の保護を十分に行う上で好ましいものとなる。また、高価なインフレータを、頭部用バッグ部と胸部用バッグ部とで兼用して１つとしたので、コスト低減等の上で好ましいものとなる。さらに、分配部材によって、頭部用バッグ部への気体供給と胸部用バッグ部への気体供給とが適切な量となるように分配されるので、インフレータが１つであっても、頭部用バッグ部への気体供給と胸部用バッグ部への気体供給を所望通りに設定することができる。
【００１２】
上記解決手法を前提とした好ましい態様は、特許請求の範囲における請求項２以下に記載のとおりである。すなわち、
前記分配部材は、前記インフレータに接続されたパイプ状部材とされている、ようにすることができる（請求項２対応）。この場合、分配部材の設置スペースを大きくすることなく、インフレータで発生した気体を各バッグ部へ確実に分配して供給することができる。
【００１３】
前記パイプ状部材は、前記頭部用バッグ部と胸部用バッグ部を構成する袋体に一体とされた布材で構成されている、ようにすることができる（請求項３対応）。この場合、分配部材を布材によって簡単かつ安価に構成することができ、しかも各バッグ部への一体化も容易である。
【００１４】
前記インフレータから前記頭部用バッグ部への気体噴出量と該インフレータから前記胸部用バッグ部への気体噴出量とが、前記分配部材によって調整されている、ようにすることができる（請求項４対応）。この場合、各バッグ部の膨張展開特性を、分配部材を利用して最適なものに設定することができる。
【００１５】
前記分配部材は、前記頭部用バッグ部内に開口された第１出口開口と、前記胸部用バッグ部内に開口された第２出口開口とを有し、
前記第１出口開口と第２出口開口との開口面積の大きさ設定によって、前記頭部用バッグ部への気体噴出量と前記胸部用バッグ部への気体噴出量とが調整される、
ようにすることができる（請求項５対応）。この場合、第１出口開口と第２出口開口との開口面積を設定するという簡単な手法によって、各バッグ部へ供給される気体噴出量を所望のものに設定することができる。
【００１６】
前記分配部材は、前記頭部用バッグ部内に開口された第１出口開口と、前記胸部用バッグ部内に開口された第２出口開口とを有し、
前記第１出口開口の数と第２出口開口の数の設定によって、前記頭部用バッグ部への気体噴出量と前記胸部用バッグ部への気体噴出量とが調整される、
ようにすることができる（請求項６対応）。この場合、第１出口開口と第２出口開口との数を設定するという簡単な手法によって、各バッグ部へ供給される気体噴出量を所望のものに設定することができる。
【００１７】
前記頭部用バッグ部への気体噴出量が、前記胸部用バッグ部への気体噴出量よりも多くなるように調整されている、ようにすることができる（請求項７対応）。この場合、頭部用バッグ部の膨張展開を確実に得て、乗員の頭部保護をより確実に行う上で好ましいものとなる。
【００１８】
前記頭部用バッグ部と胸部用バッグ部とがほぼ同時期にその膨張展開が完了されるように、前記分配部材による気体の分配調整がされている、ようにすることができる（請求項８対応）。この場合、頭部用バッグ部の膨張展開完了時間を胸部用バッグ部の膨張展開完了時間とほぼ同じに設定して、乗員の頭部をより確実に保護する上で好ましいものとなる。
【００１９】
前記頭部用バッグ部の膨張展開完了時の容量が、前記胸部用バッグ部の膨張展開完了時の容量よりも大きくなるように設定されている、ようにすることができる（請求項９対応）。この場合、乗員の体格が大きく相違しても、大きな容量とされた頭部用バッグ部を乗員の頭部側方のほぼ全体に渡って確実に位置させることが可能となり、乗員の保護をより確実に行う上で好ましいものとなる。
【００２０】
前記頭部用バッグ部の膨張展開完了時の容量が、前記胸部用バッグ部の膨張展開完了時の容量よりも大きくなるように設定されており、
前記頭部用バッグ部と胸部用バッグ部とがほぼ同時期にその膨張展開が完了されるように、前記分配部材による分配調整がされており、
前記頭部用バッグ部の膨張展開時間が、前記胸部用バッグ部の膨張展開時間よりも長くなるように設定されている、
ようにすることができる（請求項１０対応）。この場合、乗員の体格の相違に対応しつつその頭部の確実な保護を行うことができる。
【００２１】
前記頭部用バッグ部と胸部用バッグ部とインフレータと分配部材とが、それぞれ前記シートバック内に配設され、
前記頭部用バッグ部と胸部用バッグ部抜とが、前記シートバックの側部から前方へ向けて膨張展開されるようにされされている、
ようにすることができる（請求項１１対応）。この場合、各部材を１セット化あるいは集中配置した状態でシートバック内に収納する上で好ましい設定が得られる。
【００２２】
前記インフレータが、前記頭部用バッグ部と胸部用バッグ部とのうちいずれか一方のバッグ部内に配設されて、他方のバッグ部内には位置しないようにされ、前記インフレータに接続された前記分配部材が、前記他方のバッグ部内へ延在している、ようにすることができる（請求項１２対応）。この場合、インフレータを一方のバッグ部内に収納しつつ、他方のバッグ部へも気体を確実に供給することができる。
【００２３】
車両がオープンカーとされている、ようにすることができる（請求項１３対応）。この場合、上方が開放されることによって乗員の頭部の保護が強く求められるオープンカーにおいて好適なエアバッグ装置が提供される。
【００２４】
【発明の効果】
本発明によれば、バッグ部を、頭部用バッグ部とこれとは別体の胸部用バッグ部との分割構成として、乗員の保護、特に乗員の頭部の保護を確実に行う上で好ましいものとなる。また、高価なインフレータを１つとして、コスト低減等の上で好ましいものとなる。さらに、分配部材を利用して、頭部用バッグ部と胸部用バッグ部とに対して、所望どおりの好ましい分配態様でもって膨張展開用の気体を供給することができる。
【００２５】
【発明の実施の形態】
図１において、１はオープンカーとされた車両であり、運転席が符号２で、助手席が符号３で示される。また、車体側壁部としての運転席側のサイドドアが符号４で示され、助手席側のサイドドアが符号５で示される。運転席２は、既知のように、シートクッション１１とシートバック１２とヘッドレスト１３とを有する。同様に助手席３も、シートクッション２１とシートバック２２とヘッドレスト２３とを有する。
【００２６】
運転席２のシートバック１２にはエアバッグ装置（サイドエアバッグ装置）ＵＡＢが装備される一方、助手席３のシートバック２２にもエアバッグ装置（サイドエアバッグ装置）ＪＡＢが装備されている。両エアバッグ装置ＵＡＢとＪＡＢとは互いに同じように構成されているので、助手席用エアバッグ装置ＪＡＢに着目して、その詳細を図２、図３を参照しつつ説明する。
【００２７】
エアバッグ装置ＪＡＢは、袋状のエアバッグ本体ＡＨとガス圧発生用のインフレータＩＲとを有する。袋状のエアバッグ本体ＡＨは、それぞれ袋状とされた頭部用バッグ部１４と胸部用バッグ部１５との互いに別個独立した２つの袋状体からなる。頭部用バッグ部１４は、膨張展開完了時には、助手席３に着座されている乗員Ｍの頭部側方に位置されて、乗員Ｍの頭部Ｍ１を車体外方側から全体的に覆うような大きさに設定されている。すなわち、頭部用バッグ部１４は、乗員と助手席用サイドドア５との間の空間のうち高い位置において膨張展開されて、その上端はシートバック２２の上方特にヘッドレスト２３の上方にまで伸びるようにされている。また、膨張展開された頭部用バッグ部１４の前端は、乗員Ｍの頭部Ｍ１の前方にまで伸びるようにされている。
【００２８】
上記胸部用バッグ部１５は、膨張展開完了時には、助手席３に着座されている乗員Ｍの胸部Ｍ２の側方に位置されて、乗員Ｍの胸部Ｍ２を車体外方側から全体的に覆うような大きさに設定されている。すなわち、胸部用バッグ部１５は、乗員Ｍと助手席用サイドドア５との間の空間のうち低い位置、より具体的には、シートバック２２の上下方向略中間部に位置するように膨張展開される。そして、頭部用バッグ部１４の膨張展開完了時の容量（最大容量）は、胸部用バッグ部１５の膨張展開完了時の容量（最大容量）よりも十分に大きく設定されている。例えば、頭部用バッグ部１４の最大容量は、胸部用バッグ部１５の最大容量よりも４割〜１０割程度大きく設定されている。
【００２９】
上記各バッグ部１４と１５とは、それぞれ折り畳まれた状態で、シートバック２２内に収納される。そして、インフレータＩＲが起爆されると、当該インフレータＩＲで発生されたガス圧を受ける各バッグ部１４と１５とは、シートバック２２のサイドドア５側の側面に形成された脆弱部１６を破断して外部へ膨張展開されることになる。
【００３０】
図１、図４において、側方衝突は、サイドドア４あるいは５に装備された衝突検出用のセンサ６、７によって検出される。この各センサ６、７の出力は、マイクロコンピュータを利用して構成されたコントローラＵに入力されて、このコントローラＵがセンサ６、７からの出力状態に基づいてエアバッグを作動させる必要があると判断したときに、前述のようにインフレータＩＲを作動させる。
【００３１】
胸部用バッグ部１５は、前方へ向かうように膨張展開される。頭部用バッグ部１４は、前方へ向かうように膨張展開されるものの、上方へ向けての膨張展開の傾向が強いものとなる。すなわち、頭部用バッグ部１４は、シートバック２２よりも高い位置にまで膨張展開されるので上下方向に折り畳まれる関係上、上下方向に膨張展開しよとする傾向が強くなる。また、シートバック２２の側面に形成されるバッグ部１４、１５の出口となる脆弱部１６は、頭部用バッグ部１４の膨張展開位置よりも低い位置にある一方、脆弱部１６よりも上方は比較的広い逃げ空間となるので、頭部用バッグ部１４はが上方へと膨張展開する傾向が強いものとなる。特に膨張展開の初期時には、上方へ向かう傾向が強いものとなる。
【００３２】
頭部用バッグ部１４の上方への膨張展開を抑制して、極力前方へ向けて膨張展開されるようにするため、テザー部材１７が設けられている。このテザー部材１７は、例えばシート状とされて、頭部用バッグ部１４の下部（特に前下部）と胸部用バッグ部１５の上部（特に前上部）とを連結している。このテザー部材１７を設けることによって、元々前方へ膨張展開しようとする傾向が極めて強い胸部用バッグ部１５の前方への展開力が、テザー部材１７を介して頭部用バッグ部１４へと伝達されて、頭部用バッグ部１４は、前方へ向けて膨張展開しようとする傾向が強いものとなる。これにより、頭部用バッグ部１４を極力早い時期に、乗員Ｍの頭部Ｍ１よりも前方へと位置させることが可能になる。
【００３３】
また、テザー部材１７によって、頭部用バッグ部１４が最終的に必要以上に大きく上方へ膨張展開されてしまう事態も抑制されることになる。すなわち、頭部用バッグ部１４が上方へ必要以上に大きく膨張展開しようとしても、テザー部材１７を介して胸部用バッグ部１５が上方への動きを抑制することになる。
【００３４】
頭部用バッグ部１４と胸部用バッグ部１５とは、共通の１つのインフレータＩＲによって作動されるようになっている。すなわち、インフレータＩＲそのものは、一方のバッグ部（実施形態では胸部用バッグ部１５内）内に配設（収納）されて、他方のバッグ部には位置しない状態とされる。そして、図２に示すように、インフレータＩＲには、発生されたガス圧が導入される分配部材としての分配パイプ１８の一端部が接続されており、この分配パイプ１８の他端側が、頭部用バッグ部１４内と胸部用バッグ部１５内とにそれぞれ伸びている。より具体的には、膨張展開したときの胸部用バッグ部１５の上壁部と頭部用バッグ部１４の下壁部に相当する隔壁部１９を、分配パイプ１８が気密に貫通して、その先端部が頭部用バッグ部１４内にまで延在されている。なお、上記の胸部用バッグ部１５の上壁部と頭部用バッグ部１４の下壁部とは、互いに別個独立したものであってもよく、あるいはそのいずれか一方の壁部が他方の壁部を兼用したものであってもよい。
【００３５】
上述した分配パイプ１８には、頭部用バッグ部１４内に開口されたガス圧の出口開口（第１出口開口）１８ａが形成される一方、胸部用バッグ部１５内に開口された別の出口開口（第２出口開口）１８ｂが形成されている。頭部用バッグ部１４用の出口開口１８ａの総開口面積は、胸部用バッグ部１５用の出口開口１８ｂの総開口面積よりも十分に大きく設定されている。実施形態では、出口開口１８ａと１８ｂとの開口面積そのものは同じとする一方、出口開口１８ａの数を出口開口１８ｂの数よりも多くすることによって、総開口面積に差をもたせるようにしてある。これにより、頭部用バッグ部１４に対するガス圧供給が優先的に行われる設定となって、容量の大きい頭部用バッグ部１４の膨張展開完了までに要する時間が、容量の小さい胸部用バッグ部１５の膨張展開完了までに要する時間とほぼ同じ程度とされる。なお、分配パイプ１８は、金属あるいは合成樹脂（特に硬質合成樹脂）によって形成することができる。
【００３６】
ここで、頭部用バッグ部１４の膨張展開の持続時間は、胸部用バッグ部１５の膨張展開の持続時間よりも長くすることが望まれるものである。すなわち、胸部用バッグ部１５がしぼんだ後も、頭部用バッグ部１４は依然として膨張展開状態を維持することが望まれる。このため、膨張展開された各バッグ部１４、１５からのガス圧の抜けが調整されるようになっている。
【００３７】
上述のような各バッグ部１４、１５からのガス圧の抜け調整のために、例えば図５、図６に示すような手法を採択することができる。すなわち、胸部用バッグ部１５にはベントホール３１を設けておく一方、頭部用バッグ部１４にはベントホールを設けないようにしてある。また、頭部用バッグ部１４を形成するシート材の内面にコーティングを施して（コーティング層が符号３２で示される）、単位面積あたりの頭部用バッグ部１４からのガス圧の抜け（洩れ）が小さくなるようにする一方、胸部用バッグ部１５の内面にはガス圧の抜け抑制のためのコーティングを施さないようにしてある。このベントホール３１の設定とコーティング層３２の形成によって、頭部用バッグ部１４からのガス圧の抜けは、胸部用バッグ部１５からのガス圧の抜けよりも十分遅いものとなって、頭部用バッグ部１４の膨張展開持続時間が長いものとされる。なお、図６では、存在の明確化のために、各バッグ部１４、１５を構成するシート材の厚さを実際よりも厚く描いてあり、同様にコーティング層３２も実際の厚さよりも十分に厚く描いてある。
【００３８】
上記ベントホール３１とコーティング層３２を適宜組み合わせて、頭部用バッグ部１４の膨張展開持続時間を胸部用バッグ部１５の膨張展開持続時間よりも長いものとすることができる。例えば、次のような組み合わせとすることができる。
両バッグ部１４、１５にはそれぞれベントホールを形成しないようにする一方、頭部用バッグ部１４のみにコーティング層３２を形成することができる。また、両バッグ部１４、１５にコーティング層３２を形成しない一方、胸部用バッグ部１５のみにベントホール３１を形成することができる。この他、両バッグ部１４、１５にそれぞれベントホール３１を形成して、このベントホール３１の大きさを変更する場合や、両バッグ部１４、１５にそれぞれコーティング層３２を形成して、そのコーティング層３２の厚さを変更する場合等、種々の組み合わせがある。
【００３９】
図７は、本発明の第２実施形態を示すものであり、前記実施形態と同一構成要素には同一符号を付してその重複した説明は省略する（このことは、以下のさらに別の実施形態についても同じ）。図７に示す本実施形態では、図５の変形例となるもので、インフレータＩＲを胸部用バッグ部１５内のみに収納した点、および一端部がインフレータＩＲに接続された分配パイプ１８の他端部を、隔壁部１９を貫通させて頭部用バッグ部１４内に延在させた点、さらには、分配パイプ１８が、頭部用バッグ部１４内に開口する第１出口開口１８ａおよび胸部用バッグ部１５内に開口する第２出口開口１８ｂを有する点では、前記実施形態と同じである。
【００４０】
図７の実施形態では、上述の第１出口開口１８ａと第２出口開口１８ｂとの開口面積は互いに等しくされ、しかも、その数も互いに同じ数（実施形態では各１個づつ）としたる。つまり、第１出口開口１８ａの総開口面積と第２出口開口１８ｂの総開口面積とが、互いに等しく設定されている。これにより、前記実施形態と同様に膨張展開完了時の頭部用バッグ部１４の容量を胸部用バッグ部１５の容量よりも大きく設定した場合は、頭部用バッグ部１４の膨張展開完了までの時間が、胸部用バッグ部１５の膨張展開完了までの時間よりも若干遅くなるように設定される。また、膨張展開完了時の頭部用バッグ部１４の容量と胸部用バッグ部１５の容量とをほぼ等しく設定した場合は、各バッグ部１４と１５との各膨張展開完了時間は互いにほぼ等しくなるように設定されることになる。
【００４１】
図８は、本発明の第３実施形態を示すもので、図７の変形例となる。図８の実施形態では、分配パイプ１８に形成される第１出口開口１８ａと第２出口開口１８ｂとの数は、互いに等しくなるように設定されている（実施形態では各１個づつ）。ただし、第１出口開口１８ａの開口面積の方が、第２出口開口１８ｂの開口面積よりも大きくなるように設定されている。これにより、図５の実施形態と同様に膨張展開完了時の頭部用バッグ部１４の容量を胸部用バッグ部１５の容量よりも大きく設定した場合であっても、各バッグ部１４と１５との各膨張展開完了時間は互いにほぼ等しくなるように設定されることになる。
【００４２】
図９は、本発明の第４実施形態を示すもので、図７の変形例となる。すなわち、本実施形態では、第１出口開口１８ａと第２出口開口１８ｂとの個々の開口面積は互いに等しく設定されているが、第１出口開口１８ａの数が第２２出口開口１８ｂの数よりも多くなるように設定されている。これにより、図５の実施形態と同様に膨張展開完了時の頭部用バッグ部１４の容量を胸部用バッグ部１５の容量よりも大きく設定した場合であっても、各バッグ部１４と１５との各膨張展開完了時間は互いにほぼ等しくなるように設定されることになる。
【００４３】
前述したように、第１出口開口１８ａと第２出口開口１８ｂとの総開口面積を設定することにより、頭部用バッグ部１４と胸部用バッグ部１５とが膨張展開特性、特に膨張展開が完了されるまでの時期を所望のものに設定することができる。勿論、各出口開口１８ａ、１８ｂの総開口面積の設定は、インフレータＩＲの気体噴出特性（特に噴出量）と、頭部用バッグ部１４，胸部用バッグ部１５の膨張展開完了時の容量等を勘案して設定されることになる。
【００４４】
図１０は、本発明の第５実施形態を示すものである。本実施形態では、分配部材として、分配パイプ１８に代えて、布材からなる分配部材２０を設けてある。この分配部材２０は、膨張された状態では全体的に上下方向に長い筒状となるように形成されて、各バッグ部１４，１５に一体化されている。すなわち、分配部材２０のうちその上端部が頭部用バッグ部１４の後端部に一体化されて、この上端部に、頭部用バッグ部１４内に開口する第１出口開口１８ａが形成されている。また、分配部材２０のうちその下端部が胸部用バッグ部１５の後端部に一体化されて、この下端部に、胸部用バッグ部１５内に開口する第２出口開口１８ｂが形成されている。
【００４５】
分配部材２０の下方にインフレータＩＲが配設されて、このインフレータＩＲの上端部に分配部材２０の下端部が接続されている。本実施形態においては、各出口開口１８ａ、１８ｂの開口面積と数とが互いに等しく設定されてその総開口面積が互いに等しく設定されている。ただし、前述したように、各出口開口１８ａと１８ｂとの間で、その数と個々の開口面積の少なくとも一方を異ならせて、総開口面積が互いに相違するように設定することもできる。また、インフレータＩＲは、図１０に示す以外に、例えば、分配部材２０の後方に配置したり、分配部材２０内に配置したり、一方のバッグ部内に配置する等、適宜の位置を選択できる。
【００４６】
図１０の実施形態では、分配部材２０が布材で形成されているので、コスト低減や重量低減等の上で好ましいものとなる。また、常時は、小さく折りたたむ等の状態でシートバック内に収納することも可能となり、コンパクトに収納するという点でも好ましいものとなる。
【００４７】
以上実施形態について説明したが、本発明はこれに限らず例えば次のような場合をも含むものである。オープンカー以外の車両であってもよい。前席用に限らず、後席用としても適用できる。エアバッグ本体のシートバックからの出口は、車体外方側の側面に限らず、車体外方側の側部前面であってもよい。また、頭部用バッグ部１４と胸部用バッグ部１５とのシートバックからの出口は別個独立したものであってもよい。
【００４８】
頭部用バッグ部１４と胸部用バッグ部１５との後端部同士を、例えば隔壁部１９部分で互いに一体化しておいてもよく、あるいは互いに分離させておくようにしてもよい。頭部用バッグ部１４の膨張展開完了時期を、胸部用バッグ部１５の膨張展開完了時期よりも若干早くなるように設定することもできる。勿論、本発明の目的は、明記されたものに限らず、実質的に好ましいあるいは利点として表現されたものを提供することをも暗黙的に含むものである。
【図面の簡単な説明】
【図１】本発明が適用された車両の要部斜視図。
【図２】膨張展開された頭部用バッグ部と胸部用バッグ部とを車体外方側から見たときの要部側面図。
【図３】図２の各バッグ部を車両前方から見たときの要部正面図。
【図４】制御系統例をブロック図的に示す図。
【図５】ベントホールとコーティング層を設けた例を示す要部側面図。
【図６】図５のＸ５−Ｘ５線相当断面図。
【図７】本発明の第２実施形態を示す要部簡略側面図。
【図８】本発明の第３実施形態を示す要部簡略側面図。
【図９】本発明の第４実施形態を示す要部簡略側面図。
【図１０】本発明の第５実施形態を示す要部簡略側面図。
【符号の説明】
１：車両
２：運転席
３：助手席
４：サイドドア（運転席側の車体側壁部材）
５：サイドドア（助手席側の車体側壁部材）
６：センサ（衝突検出）
７：センサ（衝突検出）
１２：シートバック（運転席）
１４：頭部用バッグ部
１５：胸部用バッグ部
１７：テザー部材
１８：分配パイプ（分配部材）
１８ａ：第１出口開口
１８ｂ：第２出口開口
１９：隔壁部（両バッグ部の境界）
２０：分配部材（図１０）
２２：シートバック（助手席）
Ｕ：コントローラ
ＡＨ：エアバッグ本体
ＩＲ：インフレータ（助手席）
ＵＡＢ：エアバッグ装置（運転席）
ＪＡＢ：エアバッグ装置（助手席）
【図１】
2004255908.tif 000003
【図２】
2004255908.tif 000004
【図３】
2004255908.tif 000005
【図４】
2004255908.tif 000006
【図５】
2004255908.tif 000007
【図６】
2004255908.tif 000008
【図７】
2004255908.tif 000009
【図８】
2004255908.tif 000010
【図９】
2004255908.tif 000011
【図１０】
2004255908.tif 000012